(57)【特許請求の範囲】
【請求項１】
筐体に対して着脱可能に設けられるユニットであって、
当該ユニットを前記筐体にロックするロック機構部を備え、
前記ロック機構部は、
前記筐体に設けられた不動部と、
長手方向両端を揺動端とされて、一方の前記揺動端が前記不動部に係合するロックレバーと、
を有し、
前記ロックレバーは、
前記一方の前記揺動端に、前記ロックレバーが前記不動部に係合する向きに揺動すると前記不動部に覆い被さる状態で対向する対向面が設けられ、他方の前記揺動端に、外部からの操作が可能な操作部が設けられ、
前記対向面は、前記一方の前記揺動端が前記不動部に覆い被さる向きに揺動した際に、前記不動部におけるユニット離脱方向と反対側の面に食い込む傾斜面を有し、前記ユニットを前記筐体側に向けて引き動かす力を発生させ、
前記傾斜面は、前記不動部から外れる向きと反対の方向に揺動するに従い、前記不動部との当接圧力が高くなる傾斜角度を設定され、
前記傾斜面には、該傾斜面に連続して形成された凸状部が形成され、前記凸状部に、該傾斜面に連続して形成された、前記不動部と当接する係止面が形成され、
前記係止面は、前記傾斜面と異なる角度を有し、前記角度は、前記傾斜面が前記不動部から外れる向きに揺動した際に、前記不動部の面に対して平行となる角度であることを特徴とするユニット。
【請求項２】
前記傾斜面は、前記不動部から外れる向きと反対の方向に揺動するに従い、揺動支点との間の対向間隔が小さくなり、揺動完了時には前記不動部側に移行する傾斜角度に設定されていることを特徴とする請求項１に記載のユニット。
【請求項３】
前記係止面の前記角度は、前記ユニットが前記筐体から脱落することを防止する角度に設定されていることを特徴とする請求項１に記載のユニット。
【請求項４】
前記ロックレバーは、長手方向中央部に揺動支点を有し、
前記揺動支点は、前記ユニットに設けられた揺動支点支持部の穴に篏合され、
前記揺動支点は、上向きの突状部を有し、
前記突状部の上面が、前記揺動支点支持部の前記穴の上面に点接触される、ことを特徴とする請求項１記載のユニット。
【請求項５】
請求項１乃至４のうちの一つに記載のユニットが着脱されることを特徴とする画像形成装置。
【発明の詳細な説明】
【技術分野】
【０００１】
本発明は、ユニットおよび画像形成装置に関し、さらに詳しくはユニットのロック機構に関する。
【背景技術】
【０００２】
周知のように、プリンタ、ファクシミリ装置や複写装置あるいはプロッタさらにはこれら機能を併せ持つ複合機などの画像形成装置の一つに、インク液滴を吐出する記録ヘッドを用いた液体吐出記録方式によるインクジェット記録装置がある。
【０００３】
この液体吐出記録方式のインクジェット記録装置は、記録ヘッドからインク滴を、搬送される用紙に対して吐出して、画像形成（記録、印字、印写、印刷も同義語で使用する）を行ない、その型式として、記録ヘッドが主走査方向に移動しながら液滴を吐出して画像を形成するシリアル型画像形成装置と、記録ヘッドが移動しない状態で液滴を吐出して画像を形成するライン型ヘッドを用いるライン型画像形成装置がある。
【０００４】
なお、本発明における液体吐出記録方式の画像形成装置としては、紙、糸、繊維、布帛、皮革、金属、プラスチック、ガラス、木材、セラミックス等の媒体を対象として、インクを着弾させて画像形成を行う装置を意味し、また、画像形成とは、文字や図形等の意味を持つ画像を媒体に対して付与することだけでなく、パターン等の意味を持たない画像を媒体に付与すること（単に液滴を媒体に着弾させること）をも意味する。
【０００５】
さらに、本発明の説明に用いるインクとは、インクと称されるものに限らず、記録液、定着処理液、樹脂、薬品、液体などと称されるものなど、画像形成を行うことができるすべての液体の総称として用いられているものが含まれる。
【０００６】
また、本発明で挙げる用紙とは、材質を紙に限定するものではなく、上述したＯＨＰシート、布なども含み、インク滴が付着されるものの意味であり、被記録媒体、記録媒体、記録紙、記録用紙などと称されるものを含むものの総称として用いる。
【０００７】
この液体吐出記録方式の画像形成装置は、製本や各種印刷物を少量生産する為に使用される設備型のインクジェットプリンターの場合、高速で駆動させる為、サーマル型またピエゾ型のインクジェットヘッドを多数個配置し、紙搬送方向に対し直角方向の駆動(キャリッジ駆動)を持たず、紙搬送のみで画像を形成することができるようになっている。
【０００８】
この種のインクジェット記録装置は、高速かつ低騒音であり、記録媒体の種類に制約が少なく、カラー化も容易であるなどの利点があることから、現在広く普及している。
【０００９】
インクジェット記録装置を含む画像形成装置においては、これに装備されているユニットを着脱可能に設ける場合がある。
このような場合としては、印字モードに応じたユニットを準備する場合がある。
例えば、シートの片面への印字作業のためのユニットを装着していた場合、シートの両面への印字作業が行えるようにシートの印字面を反転させる機構を備えたユニットに交換することがある。
【００１０】
このため、画像形成装置には、ユニットの着脱機構にロック機構を備えた構成が用いられている（例えば、特許文献１）。
特許文献１には、着脱可能なユニットを支持する側に設けられた揺動レバーの一部にユニット側に設けられている位置決めピンが係脱可能な凹状係合部を設け、揺動レバーの揺動に応じて位置決めピンを係脱させる構成が開示されている。
【００１１】
図１１は、上記構成における揺動レバーとこれに係脱可能な位置決め部位との関係を説明するための図であり、同図において、揺動可能なレバーで構成されたロックレバーＡが着脱可能なユニットＵ側に設けられているとした場合、揺動レバーの揺動端側に対向して不動部に設けられた位置決めピン、いわゆる、ロックピンＢが対向している。
【００１２】
ロックレバーＡは、ロックピンＢと対向する揺動端が鉤状に形成されており、ユニットが装置内に装着された場合、揺動端の鉤状部をロックピンＢに係合させることができる。
ユニットを装置側から離脱させる場合にはロックレバーＡを揺動させてロックピンＢに対する揺動端の鉤状部が係合状態を解除される。
【００１３】
一方、図１２は、ロックレバーＡの揺動端に位置する鉤状部とロックピンＢとの対向関係を説明するための図であり、同図において、揺動端の鉤状部はその内縁がロックピンＢの外周面に対向し、例えば、この状態でロックレバーが移動するのを係止されるようになっている。
【発明の概要】
【発明が解決しようとする課題】
【００１４】
特許文献１に開示されているようなロックレバーとこれに係脱可能なロックピントとの組み合わせによるロック機構は、締結によるロックに比べて操作性がよくまた部品の紛失などがないという利点がある。
【００１５】
しかし、ロックレバーの鉤部とロックピンとの係合を可能にするために、図１２に示すように、両者間の嵌め合い公差を設定する上で僅かながらでも隙間Ｇが存在する。
このため、隙間内でロックレバーの動きが可能であるため、ユニット装着時、ガタツキが生じることがある。ガタツキは異音の発生原因となることや、取り付け精度の悪化を招く。特に、交差範囲内で部品精度にばらつきが生じていると上述した隙間の大きさもバラツキ、ユニット毎や生産ロット毎で異音やスキューのバラツキ量も変化する。
【００１６】
本発明の目的は、上記従来のユニットにおける問題に鑑み、ガタツキを生じることなく、異音やスキューのバラツキが防止できさらには係合部での係合を確保できる構成を備えたユニットおよび画像形成装置を提供することにある。
【課題を解決するための手段】
【００１７】
この目的を達成するため、本発明は次の構成よりなる。
（１）筐体に対して着脱可能に設けられるユニットであって、当該ユニットを前記筐体にロックするロック機構部を備え、前記ロック機構部は、前記筐体に設けられた不動部と、長手方向両端を揺動端とされて、一方の前記揺動端が前記不動部に係合するロックレバーと、を有し、前記ロックレバーは、前記一方の前記揺動端に、前記ロックレバーが前記不動部に係合する向きに揺動すると前記不動部に覆い被さる状態で対向する対向面が設けられ、他方の前記揺動端に、外部からの操作が可能な操作部が設けられ、前記対向面は、前記一方の前記揺動端が前記不動部に覆い被さる向きに揺動した際に、前記不動部におけるユニット離脱方向と反対側の面に食い込む傾斜面を有し、前記ユニットを前記筐体側に向けて引き動かす力を発生させ、前記傾斜面は、前記不動部から外れる向きと反対の方向に揺動するに従い、前記不動部との当接圧力が高くなる傾斜角度を設定され、前記傾斜面には、該傾斜面に連続して形成された凸状部が形成され、前記凸状部に、該傾斜面に連続して形成された、前記不動部と当接する係止面が形成され、前記係止面は、前記傾斜面と異なる角度を有し、前記角度は、前記傾斜面が前記不動部から外れる向きに揺動した際に、前記不動部の面に対して平行となる角度であることを特徴とするユニット。
【００１８】
（２）前記傾斜面は、前記不動部から外れる向きと反対の方向に揺動するに従い、揺動支点との間の対向間隔が小さくなり、揺動完了時には前記不動部側に移行する傾斜角度に設定されていることを特徴とする（１）に記載のユニット。
【００１９】
（３）前記係止面の前記角度は、前記ユニットが前記筐体から脱落することを防止する角度に設定されていることを特徴とする（１）に記載のユニット。
【００２０】
（４）前記ロックレバーは、長手方向中央部に揺動支点を有し、前記揺動支点は、前記ユニットに設けられた揺動支点支持部の穴に篏合され、前記揺動支点は、上向きの突状部（段落５０）を有し、前記突状部の上面が、前記揺動支点支持部の前記穴の上面に点接触される、ことを特徴とする（１）記載のユニット。
【００２４】
（５）（１）乃至（４）のうちの一つに記載のユニットが着脱されることを特徴とする画像形成装置。
【発明の効果】
【００２５】
本発明によれば、ロックレバーの揺動端の一方に位置する対向片に設けられている傾斜面が不動部と係合する向きに揺動した際にユニットの該不動部における離脱方向と反対側に対して食い込み勝手となる関係を持たせてあり、食い込み勝手を得る構成として、不動部から外れる向きと反対の方向、換言すれば係合する向きに揺動するに従い不動部との当接圧力を高める角度あるいは揺動支点との間の対向間隔が小さくなる角度とするだけで、不動部との隙間を無くしてガタツキを防止できる。
【００２６】
しかも、ロックレバーが対向片を不動部から外れる向きに揺動させた際には、傾斜面が不動部との間の間隔を大きくしていくと傾斜面に連続する位置に設けられている係止面が不動部と面接触するので、ユニットの離脱操作が行われないのにロックレバーの係合が解除されてしまった場合にユニットが不用意に脱落するのを阻止することができる。
【図面の簡単な説明】
【００２７】
【図１】本発明によるユニット着脱装置を用いる画像形成装置の外観図である。
【図２】図１に示した画像形成装置におけるユニット離脱状態を示す外観図である。
【図３】本発明によるユニット着脱装置に用いられるロックレバーの構成を説明するための図である。
【図４】図３に示したロックレバーの揺動支持構造を説明するための模式図である。
【図５】図４に示したロックレバーの作用の一つを説明するための図である。
【図６】図３に示したロックレバーに有する対向面および係止面の構成を説明するための図である。
【図７】図６に示した構成の作用を説明するための図である。
【図８】図１に示した画像形成装置の前方から見た状態を示す外観図である。
【図９】図８に示した画像形成装置の印字処理機構を説明するための図である。
【図１０】図９に示した印字処理機構の平面図である。
【図１１】従来のロック機構の一例を説明するための図である。
【図１２】図１１に示したロック機構での不具合を説明するための図である。
【発明を実施するための形態】
【００２８】
以下、図に示す実施例による本発明を実施するための形態について説明する。
本発明によるユニット着脱装置は、画像形成装置全般に用いることが可能であるが、本実施例では、像形成装置の一つであるインクジェット記録装置を対象としている。
【００２９】
本発明によるユニット着脱装置の詳細を説明する前に、インクジェット記録装置の構成に関して、図８〜１０を用いて説明すると次の通りである。
図８は、本発明に係る画像形成装置であるインクジェット記録装置を前方側から見た斜視説明図である。
インクジェット記録装置は、装置本体１と、装置本体１に装着された用紙を装填するための給紙トレイ２と、装置本体１に着脱自在に装着されて画像が記録（形成）された用紙をストックするための排紙トレイ３とを備えている。
さらに、装置本体１の前面の一端部側（給排紙トレイ部の側方）には、インクカートリッジを装填するためのカートリッジ装填部４を有し、このカートリッジ装填部４の上面は操作ボタンや表示器などを設ける操作／表示部５としている。
【００３０】
カートリッジ装填部４には、色の異なる液体（インク）、例えば黒（Ｋ）インク、シアン（Ｃ）インク、マゼンタ（Ｍ）インク、イエロー（Ｙ）インクをそれぞれ収容した複数の液体カートリッジ１０ｋ、１０ｃ、１０ｍ、１０ｙ（色を区別しないときは「液体カートリッジ１０」という。）を、装置本体１の前面側から後方側に向って挿入して装填可能とし、このカートリッジ装填部４の前面側には、液体カートリッジ１０を着脱するときに開く前カバー６を開閉可能に設けている。
【００３１】
次に、インクジェット記録装置の機構部について図９および図１０を参照して説明する。なお、図９は同機構部の全体構成を説明する概略構成図、図１０は同機構部の要部平面説明図である。ここで、装置前方側は、図９では右側、図１０では下側に対応する。
【００３２】
キャリッジ３３は、図１０に示すように、フレーム２０を構成する左右のメイン側板２１Ａ、２１Ｂに横架した主ガイドロッド３１と従ガイドロッド３２とにより主走査方向に摺動自在に保持され、図示しない主走査モータによってタイミングベルトを介して図１０において矢印で示す方向（キャリッジ主走査方向）に移動走査する。
【００３３】
キャリッジ３３には、イエロー（Ｙ）、シアン（Ｃ）、マゼンタ（Ｍ）、ブラック（Ｋ）の各色の液滴を吐出する複数のノズル列を有する液体吐出ヘッド３４が装着されている。
【００３４】
キャリッジ３３には、図９，図１０に示すように、各液体吐出ヘッド３４に各色の液体を供給するための各色の液体タンク３５を搭載している。この各色の液体タンク３５には、各色の可撓性を有する供給チューブ３６を介して、カートリッジ装填部４に装着された各色の液体カートリッジ１０から各色の液体が補充供給される。このカートリッジ装填部４には、液体カートリッジ１０内の液体を送液するための送液手段である供給ポンプユニットが設けられている。なお、供給チューブ３６は、前ステー２９上に保持部材３７にて途中部分が保持されている。
【００３５】
一方、図９において給紙トレイ２の用紙積載部４１上に積載した用紙４２を給紙するための給紙部として、用紙積載部４１から用紙４２を１枚ずつ分離給送する給紙コロ４３と、給紙コロ４３に対向し摩擦係数の大きな材質からなる分離パッド４４とを備えている。
【００３６】
給紙部から給紙された用紙４２を液体吐出ヘッド３４の下方側に送り込むために、用紙４２を案内するガイド部材４５と、カウンタローラ４６と、搬送ガイド部材４７と、先端加圧コロ４９を有する押さえ部材４８とを備えるとともに、給送された用紙４２を静電吸着して記録ヘッド３４に対向する位置で搬送するための搬送手段である搬送ベルト５１を備えている。
【００３７】
搬送ベルト５１は、無端状ベルトであり、搬送ローラ５２とテンションローラ５３との間に掛け渡されて、ベルト搬送方向（副走査方向）に周回するように構成している。
また、搬送ベルト５１の表面を帯電させるための帯電手段である帯電ローラ５６を備えている。この帯電ローラ５６は、搬送ベルト５１の表層に接触し、搬送ベルト５１の回動に従動して回転するように配置されている。
さらに、搬送ベルト５１の裏側には、記録ヘッド３４による印写領域に対応してプラテン部となるガイド部材５７を配置している。
【００３８】
液体吐出ヘッド３４で記録された用紙４２を排紙するための排紙部として、搬送ベルト５１から用紙４２を分離するための分離爪６１と、排紙ローラ６２及び排紙コロ６３とを備え、排紙ローラ６２の下方に排紙トレイ３を備えている。
【００３９】
装置本体１の背面部には、図９に示すように、両面ユニット７１が設けられている。この両面ユニット７１は搬送ベルト５１の逆方向回転で戻される用紙４２を取り込んで反転させて再度カウンタローラ４６と搬送ベルト５１との間に給紙する。
【００４０】
両面ユニット７１は、インクジェット記録装置の筐体、つまり、装置本体１に対して着脱可能なユニットに相当しており、装着時でのロック機構に関しては後で詳しく説明する。
【００４１】
さらに、図１０に示すように、キャリッジ３３の主走査方向一方側の非印字領域には、液体吐出ヘッド３４のノズルの状態を維持し、回復するための回復手段を含む維持回復機構８１を配置している。
【００４２】
この維持回復機構８１には、液体吐出ヘッド３４の各ノズル３４１ａを一括してキャピングするためのキャップ部材８２と、ノズル面をワイピングするためのブレード部材であるワイパーブレード８３と、増粘した液体を排出するために記録に寄与しない液滴を吐出させる空吐出を行うときの液滴を受ける空吐出受け８４などを備えている。
【００４３】
そして、この維持回復機構８１による維持回復動作で生じる記録液の廃液、キャップ８２に排出された液体、あるいはワイパーブレード８３に付着してワイパークリーナ８５で除去された液体、空吐出受け９４に空吐出されたインクは図示しない廃液タンクに排出されて収容される。
【００４４】
また、図１０に示すように、キャリッジ３３の主走査方向他方側の非印字領域には、記録中などに増粘した液体を排出するために記録に寄与しない液滴を吐出させる空吐出を行うときの液滴を受ける空吐出受け８８を配置し、この空吐出受け８８には液体吐出ヘッド３４のノズル列方向に沿った開口部８９などを備えている。
【００４５】
このように構成したインクジェット記録装置においては、給紙トレイ２から用紙４２が１枚ずつ分離給紙され、略鉛直上方に給紙された用紙４２はガイド４５で案内され、搬送ベルト５１とカウンタローラ４６との間に挟まれて搬送され、更に先端を搬送ガイド４７で案内されて先端加圧コロ４９で搬送ベルト５１に押し付けられ、搬送方向を転換される。
【００４６】
このとき、図示しない制御部のＡＣバイアス供給部から帯電ローラ５６に対してプラス出力とマイナス出力とが交互に繰り返すように、つまり交番する電圧が印加され、搬送ベルト５１が交番する帯電電圧パターン、すなわち、周回方向である副走査方向に、プラスとマイナスが所定の幅で帯状に交互に帯電されたものとなる。このプラス、マイナス交互に帯電した搬送ベルト５１上に用紙４２が給送されると、用紙４２が搬送ベルト５１に吸着され、搬送ベルト５１の周回移動によって用紙４２が副走査方向に搬送される。
【００４７】
そこで、キャリッジ３３を移動させながら画像信号に応じて液体吐出ヘッド３４を駆動することにより、停止している用紙４２に液滴を吐出して１行分を記録し、用紙４２を所定量搬送後、次の行の記録を行う。記録終了信号又は用紙４２の後端が記録領域に到達した信号を受けることにより、記録動作を終了して、用紙４２を排紙トレイ３に排紙する。
【００４８】
また、印字（記録）待機中にはキャリッジ３３は維持回復機構８１側に移動されて、キャップ部材８２で液体吐出ヘッド３４の吐出面３４ａがキャッピングされて、ノズルを湿潤状態に保つことにより液体乾燥による吐出不良を防止する。また、キャップ部材８２で液体吐出ヘッド３４の吐出面３４ａをキャッピングした状態で、図示しない吸引ポンプによってノズルから記録液を吸引し、増粘した液体を排出する回復動作を行う。
【００４９】
以上のような構成を備えたインクジェット記録装置において、装置本体１に対して着脱可能なユニットである両面ユニット７１は、図１に示すように、装置本体１に装着されている状態と、図２に示すように、装置本体１から離脱する状態とが選択でき、これらの着脱状態は、ユニット７１の側面に張り出している操作部１００Ｐ（図１，２参照）を有したロックレバー１００が主要部として用いられるユニットのロック機構部により設定されるようになっている。
【００５０】
ユニットのロック機構部は、装置本体１側を不動部としてこれに対し係脱可能なロックレバー１００を主要部として備えている。
ロックレバー１００は、図３に示すように、長手方向両端に揺動端を有する揺動可能な部材で構成され、揺動支点として、長さ方向ほぼ中央に設けられているＬ字状片部１００Ａに形成された上向き突状部１００Ｂが用いられている。
【００５１】
上向き突状部１００Ｂは、図４に示すように、不動部に設けられている揺動支点支持面１Ａに嵌合され、後述するが、操作部１００Ｐとして用いられる揺動端の他方側に配置されているコイルバネなどの弾性体１０１に付勢により突部を揺動支持面１Ａの上面に点接触させてロックレバー１００を揺動させることができるようになっている。
【００５２】
ロックレバー１００は、上述した揺動支点支持部１Ａを基準として、後述する不動部として用いられるロックプレート１Ｃに対向する対向面１００Ｃが揺動端の一方側に、そして外部からの押圧操作によりロックプレート１Cから上記対向面１００Ｃを離脱させて係合を解除するためのロック解除部としての操作部１００Ｐが揺動端の他方側にそれぞれ設けられている。
【００５３】
ロックレバー１００における揺動端の一方に位置する対向面１００Ｃは、不動部に設けられている横向きＬ字状のロックプレート１Ｃに対して、その起立片１Ｃ１の上方から覆い被さり、起立方向に沿った面に対向できる部分とされている。
対向面１００Ｃは、ロックプレート１Ｃにおけるユニット離脱方向（図４中、矢印Ｒで示す方向）と反対側の面に対して食い込み勝手となる傾斜面で構成されている。この食い込み勝手となる動きにより、ロックレバー１００は、揺動支点支持面１Ａの側面、つまり、矢印Ｒで示す方向下流側に対応する側面（図４において左側）にＬ字状折曲片１００Ａを当接させるように、僅かながらの変位を行うことで、対向面１００Ｃ側でのロックプレート１Ｃに対する拘束力を維持することができるようになっている。
【００５４】
上記対向面１００Ｃを構成する傾斜面は、ロックプレート１Ｃの起立片１Ｃ１から外れる向き（図４中、矢印ＣＣＷで示す方向）と反対の方向（図４中、ＣＷで示す方向）、換言すれば、起立片１Ｃ１に覆い被さる向きに揺動するに従い、不動部であるロックプレート１Ｃの起立片１Ｃ１におけるユニット離脱方向Ｒと反対側の面に対する当接圧力が高くなる傾斜角度を設定されている。
つまり、上記矢印ＣＷで示す方向に揺動した際に、上述した揺動支点支持部１Ｃ１との間の対向間隔が小さくなり、図４において実線で示すように、揺動完了時にはロックプレート１Ｃの起立片１Ｃ１におけるユニット離脱方向Ｒと反対側の面側に移行して食い込む状態となる傾斜角度を設定されている。
これにより、揺動支点の位置は、対向面１００Ｃがロックプレート１Ｃの起立片１Ｃ１に対してその起立片１Ｃ１におけるユニット離脱方向Ｒと反対側の面に食い込む状態に移行するのに合わせて装置本体１側に引き動かされることになる。
【００５５】
操作部１００Ｐとして用いられる揺動端の他方側には、操作部１００Ｐを常時ユニット７１の外側に突出させる習性を付与するためのコイルバネなどの弾性体１０１が配置されている。
これにより、揺動端の一方側に位置する対向面１００Ｃは、弾性体１０１の付勢による揺動習性によって、筐体である装置本体１側に位置するロックプレート１Ｃの起立片１Ｃ１におけるユニット離脱方向Ｒと反対側の面の上方から覆い被さる向きに揺動することができ、この揺動により、起立片１Ｃ１におけるユニット離脱方向Ｒと反対側の面に食い込み勝手の状態で定置される。
【００５６】
以上のような構成においては、両面ユニット７１が装置本体１側に装着されている場合、ロックレバー１００が弾性体１０１の付勢により、図４において実線で示す態位を設定される。つまり、揺動支点として用いられるＬ字状片部１００Ａの下向き湾曲面１００Ｂを基準としてロックレバー１００が矢印ＣＷ方向に揺動する習性を付与される。
【００５７】
これにより、ロックレバー１００における揺動端の一方側に位置する対向面１００Ｃは、ロックプレート１Ｃの起立片１Ｃ１上方から覆い被さる状態で起立片１Ｃ１におけるユニット離脱方向Ｒと反対側の面に食い込み勝手となり、揺動するに従い、揺動支点支持部１Ａとの間の間隔が小さくされ、揺動完了時にはその間隔が解消されて起立片１Ｃ１におけるユニット離脱方向と反対側の面側に向けて移行することにより、ロックプレート１Cの起立面におけるユニット離脱方向と反対側の面と圧接する。
【００５８】
ロックレバー１００の対向面１００Ｃがロックプレート１Ｃの起立面におけるユニット離脱方向Ｒと反対側の面と圧接すると、対向面１００Ｃとロックプレート１Ｃ側との間に隙間が生じることがなく、しかも、食い込み勝手となる圧接により、ロックレバー１００には、図５において矢印Ｆで示すように、両面ユニット７１を装置本体１側に向けて引き動かす力が発生することにより、両面ユニット７１にガタツキを生じることがないので、異音の発生やスキューのバラツキを抑えることができる。
【００５９】
特に、ロックレバー１００の対向面１００Ｃは、ロックプレート１Ｃの起立面１Ｃ１上方から覆い被さる向きに揺動した際に、揺動完了位置に近づくに従い、起立面１Ｃ１におけるユニット離脱方向Ｒと反対側の面に圧接する角度を有する傾斜面であるので、揺動過程において必然的に上記ユニット離脱方向Ｒと反対側の面に圧接できる。これにより、図５において矢印Ｆで示したように、部品精度に関係なく両面ユニット７１を装置本体１側に引き込むことができる。この結果、装置本体１側への両面ユニット７１の引き込み量が誤差の影響を受けて十分でない場合に発生しやすい不完全なロック状態をなくすことが可能となる。
【００６０】
一方、ロックプレート１Ｃの起立片１Ｃ１に対して食い込み勝手となる方向に揺動してロックプレート１Ｃと係合するのとは逆に、ロックプレート１Ｃの起立片１Ｃ１から外れる向きに対向面１００Ｃが揺動した場合には、その傾斜角度によってロックプレート１Ｃとの間に間隔が生じる。
このような間隔が生じると従来の技術と同様にガタツキなどの原因となる。
【００６１】
そこで、本発明では、図６に示すように、対向面１００Ｃとして用いられる傾斜面に連続して、ロックプレート１Ｃにおけるユニット離脱方向（図７において矢印Ｒで示す方向）と反対側の面に対して直角に当接する係止面１００Ｃ１が設けられている。
【００６２】
係止面１００Ｃ１は、対向面１００Ｃがロックプレート１Ｃからはずれる向きに揺動した際に、ロックプレート１Ｃにおけるユニット離脱方向Ｒと反対側の面に当接できる角度を設定された凸状部で構成され、図７に示すように、対向面１００Ｃがロックプレート１Ｃの起立片１Ｃ１から外れる向き（矢印ＣＣＷ）に揺動した際に、ロックプレート１Ｃの起立片１Ｃ１におけるユニット離脱方向Ｒと反対側の面に対して直角に（起立片１Ｃ１の面に平行して）当接してユニットの脱落を阻止するようになっている。このため、係止面１００Ｃ１は、ユニットの脱落防止部として機能し、ロックプレート１対向面１００Ｃとの係合が解除された際に容易にユニットが脱落しないようにすることができる。
【００６３】
以上のように、本発明の実施例においては、対向面１００Ｃの傾斜角により、ロックプレート１Ｃに覆い被さる向きにロックレバー１００が揺動した際には、揺動角が大きくなる程、特に、揺動完了時には、対向面１００Ｃがロックプレート１Ｃにおけるユニット離脱方向と反対側の面に食い込み勝手となることで両者間での間隔をなくし、かつ、揺動支点がユニット側に引き込まれる状態となるので、間隔のバラツキが原因する異音の発生を防止できると共に係合状態を確保することができる。
【００６４】
さらに、対向面１００Ｃがロックプレート１Ｃにおけるユニット離脱方向Ｒと反対側の面から外れる向きに揺動した場合には、対向面１００Ｃを構成する傾斜面に連続する係止面１００Ｃ１がロックプレート１Ｃの起立片１Ｃ１におけるユニット離脱方向Ｒと反対側の面に対して直角に当接することができることにより、ユニットの不用意な脱落を防止することができる。
これにより、締結などの操作を要しないロック操作を用いる際に、ロック時でのロック状態の確保とは別の不具合である異音の発生の解消、そして、ロック解除時での不用意なユニットの脱落を防止できることで安全なユニットの取り外しが可能となる。
なお、本実施例に挙げたロック機構は、インクジェット記録装置に限らず、例えば、シートの両面への印字を行うプリンタや複写機あるいはファクシミリ装置等の画像形成装置に適用することも可能である。
【符号の説明】
【００６５】
１  インクジェット記録装置の装置本体
１Ａ  揺動支点支持面
１Ｃ  ロックプレート
１Ｃ１  起立片
７１  両面ユニット
１００  ロックレバー
１００Ａ  揺動支点となるＬ字状片部
１００Ｂ  凹状湾曲部
１００Ｃ  対向面
１００Ｃ１  係止面
１００Ｐ  操作部
【先行技術文献】
【特許文献】
【００６６】
【特許文献１】特開平１１−３０５６２７号公報
【図１】
0005691530.tif 000002
【図２】
0005691530.tif 000003
【図３】
0005691530.tif 000004
【図４】
0005691530.tif 000005
【図５】
0005691530.tif 000006
【図６】
0005691530.tif 000007
【図７】
0005691530.tif 000008
【図８】
0005691530.tif 000009
【図９】
0005691530.tif 000010
【図１０】
0005691530.tif 000011
【図１１】
0005691530.tif 000012
【図１２】
0005691530.tif 000013